(57)【要約】【課題】  精度の高い入出管理システムを提供する。【解決手段】  無線ＩＣタグの信号を受信するアンテナと、アンテナが受信した前記無線ＩＣタグの信号を送信するレシーバと、レシーバが送信した前記無線ＩＣタグの信号をトランザクションデータベースに記憶するサーバとを備える。また、アンテナは、無線ＩＣタグが時間あたりに多く出入りする箇所に、無線ＩＣタグが時間あたりに少なく出入りする箇所よりも、多く設置する。さらに、サーバは、無線ＩＣタグの信号を少なくとも２カ所で検知した際に、その無線ＩＣタグに対応する人物が出入りしたと前記トランザクションデータベースに記憶する入出管理システム。【選択図】  図２
2009032245.tif 000002
【特許請求の範囲】
【請求項１】
無線ＩＣタグの信号を受信するアンテナと、
アンテナが受信した前記無線ＩＣタグの信号を送信するレシーバと、
レシーバが送信した前記無線ＩＣタグの信号をトランザクションデータベースに記憶するサーバとを備え、
前記サーバは、同一の無線ＩＣタグの信号を異なる複数箇所で検知した際に、その無線ＩＣタグに対応する人物が出入りしたと前記トランザクションデータベースに記憶する
ことを特徴とする入出管理システム。
【請求項２】
前記アンテナは、無線ＩＣタグが単位時間当たりの出入りが多い箇所に、少ない箇所よりも、多く設置する
ことを特徴とする請求項１に記載の入出管理システム。
【請求項３】
前記サーバは、４分以上８分以内の間隔で前記トランザクションデータベースに記憶した無線ＩＣタグの信号の監視を行う
ことを特徴とする請求項１又は２に記載の入出管理システム。
【請求項４】
前記サーバは、カレンダー手段とクロック手段を更に備え、
前記カレンダー手段とクロック手段により、前記無線ＩＣタグの信号の監視を行う日と時間を設定する
ことを特徴とする請求項１乃至３のいずれか１項に記載の入出管理システム。
【請求項５】
前記サーバは、夜間は入出管理をするレシーバをスリープ状態にし、無線ＩＤカードの検出を行うレシーバのみ起動状態にする
ことを特徴とする請求項１乃至４のいずれか１項に記載の入出管理システム。
【請求項６】
学校の登下校の管理を行うことを特徴とする請求項１乃至５の１項に記載の入出管理システム。
【請求項７】
前記サーバは、前記監視の際に、前記トランザクションデータベースに記憶された前記無線ＩＣタグの信号の時間を、前記信号の監視を行う時間と比較し、異常データを用いない
ことを特徴とする請求項３乃至６のいずれか１項に記載の入出管理システム。
【請求項８】
前記サーバは、季節、時間帯、又は入退室の状況により、出入りしたと判断するための無線ＩＣタグの検知回数を変化させる
ことを特徴とする請求項１乃至７のいずれか１項に記載の入出管理システム。
【請求項９】
前記サーバを遠隔監視する遠隔監視手段を更に備え、
前記遠隔監視手段は、リモート接続により前記サーバの機能の監視又は回復を行う
ことを特徴とする請求項１乃至８のいずれか１項に記載の入出管理システム。
【請求項１０】
無線ＩＣタグの信号を受信し、
前記無線ＩＣタグの信号を送信し、
前記無線ＩＣタグの信号を少なくとも２カ所で検知した際に、その無線ＩＣタグに対応する人物が出入りしたとトランザクションデータベースに記憶する
ことを特徴とする入出管理方法。
【発明の詳細な説明】
【技術分野】
【０００１】
本発明は、特に入出管理システム、入出管理方法に関する。
【背景技術】
【０００２】
近年、わが国では、グローバル化の進展と道路交通網の発達により、これまでは地域コミュニティーによって治安が維持されていた地域にも犯罪者が侵入することが増えている。すなわち、治安の悪化が懸案事項となっている。
また、過疎化と高齢化が進み、小学校、中学校の数が減少してきているため、児童・生徒の通学距離が増加傾向にある。
【０００３】
これらの理由により、通学途中で児童・生徒が殺傷される凶悪事件が発生している。例えば、２００６年に、秋田県藤里町の藤里小学校に通う児童が殺害される事件が起きている。
よって、通学途中に児童・生徒が犯罪に巻き込まれる等の問題があった場合に、学校の教師や親ができるだけ早く事態を把握したいという要求が存在する。
【０００４】
このためには、児童・生徒が確実に登校・下校しているかを把握することが最も重要である。
しかし、登校時に、児童・生徒が犯罪に巻き込まれていた場合、教師が授業開始時に点呼するのを待つ前に深刻な事態に陥っているという可能性がある。
また、同様に、下校時に児童・生徒が犯罪に巻き込まれた際にも、迅速な対応が必要である。しかし、実際に児童・生徒が学校に残って遊んでいるか、確実に下校したかどうかを、親が知るためには、学校に問い合わせる必要がある。しかし、教師が児童を捜すのには時間が必要である。
つまり、従来、児童・生徒の登下校の把握には、多くの時間を必要としていた。
【０００５】
そこで、無線ＩＣタグを使って生徒の登下校を確実に知る手法を導入することが考えられる。
たとえば、特許文献１を参照すると、無線ＩＣタグ読取リーダを用いた入退室管理システムが存在する（以下、従来技術１とする。）。
従来技術１の入退室管理システムでは、荷物を持った人がＩＤカードにより認証し、荷物については無線ＩＣタグのリーダにより認証することができる。
【０００６】
しかし、従来技術１の入退室管理システムのようなＩＤカードを使用するシステムにおいては、子供である児童・生徒にＩＤカードを持たせると、しばしばカードを紛失する又は自宅に忘れるという事態が起こる。さらに、小学校低学年の児童には、ＩＤカードをＩＤカードリーダに接触させて、認証することを覚えさせるのが難しい。
そこで、児童・生徒に無線ＩＣタグを持たせることで、入出管理を行うことが考えられる。
【特許文献１】特開２００５−１７１６３９号公報
【発明の開示】
【発明が解決しようとする課題】
【０００７】
しかし、児童・生徒に無線ＩＣタグを持たせて自動的に登下校の管理を行うと、活発で自由な動きをする児童・生徒の無線ＩＣタグの信号を確実に検知するのは難しかった。
【０００８】
本発明は、このような状況に鑑みてなされたものであり、上述の課題を解消することを課題とする。
【課題を解決するための手段】
【０００９】
本発明の入出管理システムは、無線ＩＣタグの信号を受信するアンテナと、アンテナが受信した前記無線ＩＣタグの信号を送信するレシーバと、レシーバが送信した前記無線ＩＣタグの信号をトランザクションデータベースに記憶するサーバとを備え、前記サーバは、同一の無線ＩＣタグの信号を異なる複数箇所で検知した際に、その無線ＩＣタグに対応する人物が出入りしたと前記トランザクションデータベースに記憶することを特徴とする。
本発明の入出管理システムは、前記アンテナは、無線ＩＣタグが単位時間当たりの出入りが多い箇所に、少ない箇所よりも、多く設置することを特徴とする。
本発明の入出管理システムは、前記サーバは、４分以上８分以内の間隔で前記トランザクションデータベースに記憶した無線ＩＣタグの信号の監視を行うことを特徴とする。
本発明の入出管理システムは、前記サーバは、カレンダー手段とクロック手段を更に備え、前記カレンダー手段とクロック手段により、前記無線ＩＣタグの信号の監視を行う日と時間を設定することを特徴とする。
本発明の入出管理システムは、前記サーバは、夜間は入出管理をするレシーバをスリープ状態にし、無線ＩＤカードの検出を行うレシーバのみ起動状態にすることを特徴とする。
本発明の入出管理システムは、学校の登下校の管理を行うことを特徴とする。
本発明の入出管理システムは、前記サーバは、前記監視の際に、前記トランザクションデータベースに記憶された前記無線ＩＣタグの信号の時間を、前記信号の監視を行う時間と比較し、異常データを用いないことを特徴とする。
本発明の入出管理システムは、前記サーバは、季節、時間帯、又は入退室の状況により、出入りしたと判断するための無線ＩＣタグの検知回数を変化させることを特徴とする。
本発明の入出管理システムは、前記サーバを遠隔監視する遠隔監視手段を更に備え、前記遠隔監視手段は、リモート接続により前記サーバの機能の監視又は回復を行うことを特徴とする。
本発明の入出管理方法は、無線ＩＣタグの信号を受信し、前記無線ＩＣタグの信号を送信し、前記無線ＩＣタグの信号を少なくとも２カ所で検知した際に、その無線ＩＣタグに対応する人物が出入りしたとトランザクションデータベースに記憶することを特徴とする。
【発明の効果】
【００１０】
本発明によれば、無線ＩＣタグの信号を確実に検知する、入出管理システムを提供することができる。
【発明を実施するための最良の形態】
【００１１】
＜第１の実施の形態＞
（概要）
図１の概念図を参照して、本発明の第１の実施の形態に係る入出管理システムの概要について説明する。
本発明の第１の実施の形態においては、一例として、小学校の警備システムとして、本発明の第１の実施の形態に係る入出管理システムを使用する場合について詳しく説明する。
まず、本発明の第１の実施の形態に係る警備システムにおいては、各児童が十数メートル離れたところで検知可能な無線ＩＣタグ（ＲＦ−ＩＤタグ、無線タグ、無線ＩＤタグ、アイデンティフィケーション・タグ、識別番号タグ）を携帯する。
この無線ＩＣタグは、各児童がランドセル等、登校時に確実に携帯するものに取り付けることで、児童が自宅に忘れるのを防ぐことができる。さらに、ランドセルの内部に取り付けることにより、破損しにくくなり、犯罪者に気づかれる怖れを減らすこともできる。
【００１２】
図２も参照してさらに説明を続けると、小学校内には、複数の無線ＩＣタグのレシーバとアンテナが取り付けられている。このレシーバは、ＬＡＮ（ローカル・エリア・ネットワーク）や無線ＬＡＮ等であるＩＰネットワークにより、職員室５００にある管理サーバ５０に接続されている。この管理サーバ５０で実行する登下校検出用プログラムにより、例えば低学年昇降口１００、高学年昇降口２００、正面職員入り口３００、高学年の廊下６００、低学年の廊下７００等でレシーバが検知した無線ＩＣタグの信号をチェックし、児童が登下校した際に確実に、各児童の登下校を監視することができる。管理サーバは、登下校検出用プログラムが起動している間は、常に各生徒の登下校の様子をデータベースに記憶している。
この記憶された各生徒の登下校の様子は、制御用ＰＣ３０（パーソナル・コンピュータ）が読み出し、制御用ＰＣに接続された大型モニター４０で、教師がいつでもチェックすることができる。管理用サーバが異常を検知した場合も、その検知した情報を制御用ＰＣに送信し、制御用ＰＣが大型モニターに表示する。また、生徒が登下校した際に、管理サーバはインターネット網等を使用して、児童の保護者に、登下校を知らせる電子メールを送信する。これにより、父母は児童が学校にいるのか、登下校中であるのか知ることができる。よって、児童が登下校中にさらわれた際に、教師と保護者が素早い行動を起こすことが可能になる。
また、児童の無線ＩＣタグとは異なる無線ＩＤカードを持ったメンテナンス要員や警備員等が入退室をするための、入退室管理も同時に行うことができる。
さらに、児童・生徒はＩＣタグとは別に、警報ブザーを携帯していることが望ましい。この警報ブザーとしては、ヒトはブザー音よりも声により反応するという性質がある。このため、児童・生徒が警報ブザーを指導させると、例えば「タスケテー」という大きな声で音声が再生されるような警報ブザーがより好適である。
【００１３】
（入出管理システムの構成）
次に、図２のブロック図と、図３のアンテナの配置の概念図を参照して、本発明の第１の実施の形態に係る入出管理システムＸの構成について説明する。なお、図１の概念図では、主に高学年と低学年の無線ＩＣタグの検知について記載したが、図２〜図３では、他の場所についても説明する。
本発明の第１の実施の形態に係る入出管理システムＸでは、児童の無線ＩＣタグの信号の検出用のアンテナ又は無線ＩＤカード用アンテナであるアンテナ１Ａ〜６Ａ、１Ｂ〜４Ｂ、６Ｂのいくつかを備えている無線ＩＣタグのレシーバ１０−１〜１０−６（受信手段）が、無線ＬＡＮや有線ＬＡＮ等であるＩＰネットワークに接続している。
レシーバとアンテナは、学校で児童又は教師が出入りする各所に配置している。この場所としては、主に１〜３年生の児童が出入りする低学年昇降口１００と、主に４〜６年生の児童が出入りする高学年昇降口２００と、教職員と客等が出入りする正面職員入り口３００と、障害児等の養護クラスであるあすなろ学級４００とに備える。なお、アンテナとレシーバとは、建物の規模に応じて、さらに多数備えることが可能である。
【００１４】
また、レシーバ又はアンテナは、動きが活発で身体能力の高い高学年の児童の昇降口には、高学年の児童と比較して身体能力が低い低学年の児童の昇降口よりも、多くのアンテナを備えるのが好適である。これは、動きが活発な高学年の児童の方が、時間あたりに多く出入りするからである。
さらに、通用口ではない出入り口が備えられている高学年の廊下６００と低学年の廊下７００にも、レシーバとアンテナを備えるのが好適である。
この高学年の廊下６００と低学年の廊下７００の出入り口のドアには、無線ＩＤカードに対応した無線ＩＤカードを読み取る読み取り装置と、児童が通常に携帯する無線ＩＣタグを読み取ることができるアンテナを同時に備えた特別なアンテナである、アンテナ１Ｂと２Ｂとを備える。
【００１５】
上述のレシーバ１０−１〜１０−ｎまでの信号は、ハブ１５等を介して職員室５００にあるルータ２０に接続している。このルータ２０は、外部からの攻撃に対抗するパケットフィルタリング等を施した上でインターネット等のＷＡＮ１０００（広域通信網、外部ネットワーク）に接続し、小学校とは別の場所である遠隔保守センターに設置したＰＣ／ＡＴ互換機等である遠隔保守用サーバ８００と接続している。
職員室５００内では、ＬＡＮによりルータ２０と接続し、レシーバが受信した無線ＩＣタグの信号をチェックする管理サーバ５０と、ＰＣ／ＡＴ互換機等である管理サーバ５０を制御し、チェックした無線ＩＣタグの信号を登校状況として図示化するいわゆるキューブ型等のコンパクトなＰＣ／ＡＴ互換機等である制御用ＰＣ３０とを接続している。
管理サーバ５０、制御用ＰＣ３０、遠隔保守用サーバ８００は、それぞれＣＰＵやＭＰＵ等である演算制御部と、ＲＡＭ、ＲＯＭ、フラッシュメモリ、ＨＤＤ等の固定ディスク装置を含む記憶部と、ＬＡＮに接続するネットワーク接続部とを備えている。
また、制御用ＰＣ３０は、図示化した登校状況を表示する大型の液晶ディスプレイ、プラズマ・ディスプレイ・パネル、有機ＥＬディスプレイ、プロジェクター等である大型モニター４０を備える。また、教職員やサーバの管理者等のメンテナンス要員が指示を行うために、ポインティングデバイス等であるマウス７０と、キーボード８０と、小型モニター６０とを、切り替え装置やＬＡＮ等を介して、制御用ＰＣ３０と管理サーバ５０のいずれかに接続することができる。さらに、管理サーバと制御用ＰＣには、ＵＰＳ（Ｕｎｉｎｔｅｒｒｕｐｔｉｂｌｅ  Ｐｏｗｅｒ  Ｓｕｐｐｌｙ、無停電電源装置）を介して電力を供給している。
【００１６】
（管理サーバ５０と、制御用ＰＣ３０の動作）
次に、図４のタイミングチャートを参照して、管理サーバ５０と、制御用ＰＣ３０の動作について概略を説明する。
管理サーバ５０は、Ｌｉｎｕｘ（登録商標）等のサーバ用のＯＳがインストールされているサーバであり、２４時間、常に起動している。加えて、ＭｙＳＱＬ（登録商標）やＰｏｓｔｇｒｅＳＱＬ等のデータベース・サーバが稼働している。
このデータベースは、レシーバが受信した無線ＩＣタグの信号を基にして、各児童の登校状況を記憶するトランザクションＤＢ（トランザクションデータベース）に用いる。
さらに、管理サーバ５０では、電子メールを配信するデーモン（サービス）と電子メール配信用プログラムを起動している。
また、管理サーバ５０には、時計内蔵のリアルタイムクロック手段があり、カレンダー手段を備えている。また、例えばｃｒｏｎ等のデーモンプロセス（タスク・サービスの設定プログラム）を用いて、時間を指定して各種のスクリプトやプログラムをタイマー実行する手段であるタイマー手段が備わっている。このタイマー手段は、インターネットのタイムサーバ等により時刻合わせを行うことができる。
このタイマー手段を用いて、管理サーバ５０は、制御用ＰＣ３０により指定した時間に、各レシーバについて、スリープ状態等の電力をあまり消費しない状態（電力の消費を抑えている状態）から通常の起動状態に起動するように指令し、エラーのチェック等も行うことができる。
【００１７】
［管理サーバ５０でのタイマー実行］
標準で設定されている管理サーバ５０の演算制御部が実行するタイマー実行の動作について、更に詳しく説明する。
まずは、１日の処理をスタートする前、管理サーバ５０は、学校が無人となっている夜２２：００にデータベースの最適化や、デフラグ等を行い、無線ＩＣタグの読み込みデータの分析等を行う。
次に、管理サーバ５０は、後述するように、この日（前日）のレシーバの受信内容を記憶したトランザクションＤＢのレコードのうち必要なデータを他のデータベースに記憶した上で、消去（クリア）する。
【００１８】
その後の夜間に、管理サーバ５０は、警備用プログラムを起動している。これにより、不審者が学校に侵入すると、自動的に警察や警備会社等に警報を通報することができる。また、管理サーバ５０が正常に動作しているか、ルータ２０からＷＡＮ１０００を介して、遠隔保守用サーバ８００から監視可能である。図示しないモニターテレビ等の画像も、遠隔保守用サーバ８００から確認することができる。
【００１９】
次に、学校に人が来始めるしばらく前の時間である朝５：５０になると、管理サーバ５０は、トランザクションＤＢに、該当日の出席簿のレコードである「カラオケ」を作成する。
この後、教師や児童の登校時にレシーバが受信した無線ＩＣタグや無線ＩＤカードの信号は、管理サーバ５０が一連の信号検出結果から全体として一つの処理として管理するためのトランザクションＤＢのレコードである「受信ジャーナル」を作成する。
次に、この「受信ジャーナル」に生徒コード・生徒氏名等の不足情報を付加した「当日履歴テーブル」を作成し、これを基にして、トランザクションＤＢの出席簿（カラオケ）を更新し、登校状況として記憶する。
【００２０】
次に、管理サーバ５０は、朝である６：００になると、登下校検出用プログラムを起動する。
この登下校検出用プログラムは、レシーバが検知してトランザクションＤＢに記憶した無線ＩＣタグの情報を監視し、上述の出席簿に記憶して、最終的にトランザクションＤＢに記憶する。また、レシーバの状態をチェックすることも可能である。
登下校検出用プログラムは、管理サーバ５０が６分間隔で１時間に１０回、起動し実行する。また、児童が帰宅し終わった夕方１８：５７分に起動するのを停止する。このため、検出用プログラムを起動する継続時間は、１２時間５７分である。
【００２１】
実際には、この登下校検出用プログラムは、４分以上、８分以内の間隔で実行するのが好適である。
これは、小学校等である数百人単位の人数が遅刻寸前に出入りする入出管理システムＸにおいては、実際の運用時の例として、３５０人程度の登下校判断処理は、例えば１００ＢＡＳＥ−ＴＸ程度のＬＡＮと２．４ＧＨｚ程度の処理速度（約１００００  ＭＩＰＳ）のＣＰＵを持つ管理サーバ５０のスペックでは３〜４分程度かかるため、余裕を持って１回の処理の呼び出しを６分程度の間隔で行うのが好適であるためである。
【００２２】
ここで、４分以下だとデータベースに記憶したトランザクションが少ない可能性がある割にはデータベースに負担をかけ、８分以上だとデータベースのレコードがオーバーフローを起こす可能性があり、さらに登校後に２カ所のアンテナで検知されている人数が増える可能性が高い。
また、教師が管理する際に、６分というのは、強迫観念にとらわれず、しかし興味を失うほど長い更新時間ではないので、心理的な要請からも好適である。
なお、登下校検出用プログラムの実行間隔と、登下校検出用プログラムの起動又は停止時間は、制御用ＰＣ３０からの操作により変更することが可能である。
【００２３】
次に、管理サーバ５０は、児童が登校するまで余裕がある時間である、６：２１分になると、レシーバ用の管理プログラムを起動する。
この管理プログラムは、レシーバの制御をし、レシーバを介して無線ＩＣタグの制御をすることができる。
この管理プログラムを起動している時間は、１４時間７分であり、この管理プログラムのプロセスは、２０：１０分から２０：２８分に自動的に終了するように設定している。この終了時間は、レシーバの無線ＩＣタグの検出具合に応じて変更することができ、さらに制御用ＰＣ３０からの操作により変更することが可能である。
【００２４】
具体的に説明すると、レシーバ用の管理プログラムが起動してレシーバの制御をすることで、レシーバはスリープ状態から起動して無線ＩＣタグの信号の検出を行う。
管理プログラムの起動時には、管理プログラムは、全レシーバに対してネットワーク経由で、当該日付、時間を設定して検出開始の指示を行う。これにより、レシーバに接続されている個々のアンテナが生徒・児童の通過に伴いＩＣタグ番号を認識し、検知または消失情報としてレシーバより管理サーバ５０にデータ送信する。
上述の検出する無線ＩＣタグの信号としては、主に各無線ＩＣタグにユニークな番号や信号列として割り振られているＩＤ（アイデンティフィケーション）の検出を行う。
【００２５】
管理サーバ５０は「ＩＣタグ番号」、「アンテナ番号」、「検知時間」等の情報をデータベースに全て登録する。終了時間まで全レシーバとの通信を行い、終了時間が来たら全レシーバに対して検知終了の指示を行う。
管理プログラムが終了するときには、レシーバをスリープ状態にすることができる。
なお、無線ＩＤカードの検出を行うアンテナ１Ｂを接続しているレシーバ１０−１と、アンテナ２Ｂを接続しているレシーバ１０−２は、夜間もスリープ状態にならずに起動している。
【００２６】
管理プログラムが終了すると、管理サーバ５０は、学校が無人となっている夜２２：００に、またデータベースの最適化や、デフラグ等を行う。ここで、当日のトランザクションＤＢの出席簿を、日毎の出席状況を記憶している年次記憶簿のデータベースに記憶し、ログを記憶した上で、トランザクションＤＢをクリアする。これにより、１日の処理を終了する。
【００２７】
［制御用ＰＣ３０の表示処理］
次に、制御用ＰＣ３０の演算制御部が実行するモニター表示処理について説明する。
制御用ＰＣ３０は、主に管理サーバ５０による児童の登下校の様子を、職員室にいる教職員がチェックするためのものなので、職員室に当日の朝、最初に登校した教師や用務員等がスイッチを入れて起動する。
この制御用ＰＣ３０は、起動した後、自動的にモニター表示処理を実行するモニター表示プログラムを起動する。その後、起動中は、ずっとこのモニター表示プログラムを実行し続ける。
このモニター表示プログラムは、管理サーバ５０のトランザクションＤＢの内容をＬＡＮ経由でチェックし、児童が登校したか、下校したか、登校又は下校の際の電子メールを発信したかについて、大型モニター４０に逐次表示する。
【００２８】
（入出管理システムＸの動作）
［登下校検出用プログラムの動作］
次に、本発明の第１の実施の形態に係る入出管理システムＸの実際の処理について説明する。
まずは、図５のフローチャートを参照して、管理サーバ５０の演算制御部が実行する、登下校検出用プログラムの動作について説明する。
この登下校検出用プログラムは、上述のように、管理サーバ５０がタイマー手段により、６分間隔で実行する。また、以下の処理は、すべて、管理サーバ５０の演算制御手段により実行する、登下校検出用プログラムのプロセス（メモリに読み込まれている実行可能プログラム）により行う。
【００２９】
（ステップＳ１０１）
まず、ステップＳ１０１において、今週（クロック手段によりプログラム実行時に該当する週）に「該当日」があるかどうか、管理サーバ５０のクロック手段とデータベースと連動するカレンダー手段により判断する処理を行う。この「該当日」は、学年ごとに設定可能であり、又は全校児童の設定も可能である。児童の登校がある日を「該当日」とするのが好適である。
ステップＳ１０１において、今週に「該当日」がない場合、すなわちＮＯの場合、処理をステップＳ１０２１に進める。
「該当日」がある場合、すなわちＹＥＳの場合、処理をステップＳ１０２２に進める。
【００３０】
（ステップＳ１０２１）
上述のようにカレンダー手段により取得した週に「該当日」がない場合、すなわち、カレンダー手段により取得した週が、例えば８月等の夏休みで児童の通常の登校がない月等であった場合、毎日監視する必要がないので、プール開きの日等がある曜日ごとの監視を行う。
このため、まずは、カレンダー手段から曜日ごとの情報として、今日が登下校監視を行う日であるかどうかの情報を取得する。
この登下校監視を行う日であった場合、学年ごとの登校時間帯と下校時間帯を取得する。この場合、プール開きの時間や部活動で完全に下校する時間等を取得する。
また、どのような無線ＩＣタグ信号の検出処理を行うのかについての情報を取得する処理を行う。
なお、この夏休みの期間と「該当日」の情報等についても、ＷＷＷウェブを用いた対話的なインターフェイスにより、制御ＰＣ３０に教師やシステムの管理者が入力することで、カレンダー手段に入力可能である。
【００３１】
（ステップＳ１０２２）
また、「該当日」がある場合、すなわちカレンダー手段により取得した週が、通常の学期内である場合、日ごとの監視を行う。
このために、カレンダー手段より、今日が登下校監視を行う日、すなわち登校日であるか、休日であるか、学校の創立記念日等の特別な休日や、代休等の日であるかどうかの情報を取得する。また、学年ごとの登校時間帯と下校時間帯を取得する。
さらに、日ごとにどのような無線ＩＣタグの検出処理を行うのかについての情報を取得する処理を行う。
【００３２】
（ステップＳ１０３）
ステップＳ１０３においては、受信ジャーナルから必要な情報を取り出す処理を行う。すなわち、検知される情報の中から登下校の判断に必要となる情報のみをデータベースより取得する。これは、レシーバで検知する情報は登下校判断以外のデータも多種存在しているためである。
【００３３】
（ステップＳ１０４）
ここで、上述のステップＳ１０３で取得した情報を基にして、登校パターン処理を行うかどうかについて判断する。
すなわち、登校判断をどう行うかについて、管理サーバ５０の設定を設定可能である。
たとえば、（１）登校していない児童に登校判断をする。（２）登校した児童に登校判断はしない。（３）下校の時間帯には登校判断はしない。といった条件を設定できる。これにより、管理サーバ５０の処理能力を有効的に利用することができる。
このステップにおいて、ＹＥＳの場合、処理をステップＳ１０５に進める。
ＮＯの場合、処理をステップＳ１０６に進める。
【００３４】
（ステップＳ１０５）
ここで、登校パターン処理を行う場合、登校パターン、すなわち児童が登校してくる際に学校内を通るルートに沿った登校判断の処理を行う。
具体的には、各レシーバはＬＡＮを経由してサーバと通信を行う。各レシーバは無線ＩＣタグを検知したときに、その検知情報（ＩＣタグＩＤ、検知アンテナ番号、検知時間、検知状態（検知、消失等）等）を、直ちに管理サーバ５０に向け送信する。管理サーバ５０は常に回線を開放した状態にあり、各レシーバからの送信情報を確認後、直ちにトランザクションＤＢの受信ジャーナルに追加する。
ここで追加したデータは無線ＩＣタグのＩＤのみなので、児童に関する情報を管理サーバがデータベースより付加する。この上で、付加した情報を基にして、トランザクションＤＢの出席簿を更新する。
【００３５】
登下校検出用プログラムのプロセスは、データベースに登録しているすべての児童に対して以下のステップＳ２０１〜Ｓ２１２の処理を行い、このトランザクションＤＢに書き込まれた無線ＩＣタグの信号を検知して、対応する児童が登校したかどうか判断する。
【００３６】
レシーバが児童の登校するルートに沿って児童を検知した場合は、登校したと判断する。回数的には２回、検知することで、登校したと判断することができる。
これにより、レシーバの誤動作を抑えることができ、児童の登校パターンに沿った検出により、無線ＩＣタグの混線を防ぎ、レシーバの負担を抑えることが可能になる。
この登校判断の処理の詳細について、図６のフローチャートを用いて、以下で詳細に説明する。
【００３７】
（ステップＳ２０１）
レシーバ１０−３により、低学年昇降口１００に設置するアンテナ３Ａで無線ＩＣタグの信号を検知したか判断する。ＹＥＳの場合、処理をステップＳ２０７に進める。ＮＯの場合、処理をステップＳ２０２に進める。
【００３８】
（ステップＳ２０２）
レシーバ１０−３により、低学年昇降口１００に設置するアンテナ３Ａで無線ＩＣタグの信号を検知したか判断する。ＹＥＳの場合、処理をステップＳ２０７に進める。ＮＯの場合、処理をステップＳ２０３に進める。
【００３９】
（ステップＳ２０３）
レシーバ１０−４により、高学年昇降口２００に設置するアンテナ４Ａで無線ＩＣタグの信号を検知したか判断する。ＹＥＳの場合、処理をステップＳ２０７に進める。ＮＯの場合、処理をステップＳ２０４に進める。
【００４０】
（ステップＳ２０４）
レシーバ１０−４により、高学年昇降口２００に設置するアンテナ４Ｂで無線ＩＣタグの信号を検知したか判断する。ＹＥＳの場合、処理をステップＳ２０７に進める。ＮＯの場合、処理をステップＳ２０５に進める。
【００４１】
（ステップＳ２０５）
レシーバ１０−５により、高学年昇降口２００に設置するアンテナ５Ａで無線ＩＣタグの信号を検知したか判断する。ＹＥＳの場合、処理をステップＳ２０７に進める。ＮＯの場合、処理をステップＳ２０５に進める。
【００４２】
（ステップＳ２０６）
レシーバ１０−６により、正面職員入り口３００に設置するアンテナ６Ａで無線ＩＣタグの信号を検知したか判断する。ＹＥＳの場合、処理をステップＳ２０７に進める。ＮＯの場合、処理をステップＳ２１１に進める。
【００４３】
（ステップＳ２０７）
レシーバ１０−１により、高学年の廊下６００に設置するアンテナ１Ａで無線ＩＣタグの信号を検知したか判断する。ＹＥＳの場合、処理をステップＳ２１２に進める。ＮＯの場合、処理をステップＳ２０８に進める。
【００４４】
（ステップＳ２０８）
レシーバ１０−１により、高学年の廊下６００に設置するアンテナ１Ｂで児童の無線ＩＣタグの信号を検知したか判断する。ＹＥＳの場合、処理をステップＳ２１２に進める。ＮＯの場合、処理をステップＳ２０９に進める。
【００４５】
（ステップＳ２０９）
レシーバ１０−２により、低学年の廊下７００に設置するアンテナ２Ａで無線ＩＣタグの信号を検知したか判断する。ＹＥＳの場合、処理をステップＳ２１２に進める。ＮＯの場合、処理をステップＳ２１０に進める。
【００４６】
（ステップＳ２１０）
レシーバ１０−２により、低学年の廊下７００に設置するアンテナ２Ｂで児童の無線ＩＣタグの信号を検知したか判断する。ＹＥＳの場合、処理をステップＳ２１２に進める。ＮＯの場合、処理をステップＳ２１１に進める。
【００４７】
（ステップＳ２１１）
ステップＳ２１１においては、登校なしと判断して、登校判断の処理を終了する。
ここで、アンテナで１回だけ無線ＩＣタグの信号を検出した場合に、まだ登校していないものの、校内にいる可能性が高いという「半分登校」のように判断してもよい。
【００４８】
（ステップＳ２１２）
ステップＳ２１２においては、児童が登校した際に、無線ＩＣタグの信号に対応する児童の登校する時間をデータベースより参照し、クロック手段により現在の時刻と比較する。
ここで、児童が遅刻していた場合、管理サーバ５０のトランザクションＤＢの出席簿に記憶する。また、日毎の出席簿に記憶している年次出席簿のデータベースにも記憶し、この年次出席簿のデータを通信簿を作成する際に参照する。さらに、後述するステップＳ１０９で作成する、児童の保護者に送付する電子メールに、児童が遅刻していたと書き添えることが可能である。
遅刻者は大型モニターで表示するとき、遅刻していない児童と表示色がちがうので、児童の管理上有効である。
【００４９】
（ステップＳ２１３）
次に、ステップＳ２１３においては、登校ありと判断して、登校判断の処理を終了する。
【００５０】
（ステップＳ１０６）
ここで、図５のフローチャートに戻って説明を続ける。
ステップＳ１０６においては、上述のステップＳ１０３で取得した情報を基にして、下校パターン処理を行うかどうかについて判断する。
この判断をどう行うかについても、管理サーバ５０の設定が可能である。
たとえば、（１）登校していない児童に下校判断はしない。（２）下校した児童に下校判断はしない。（３）登校の時間帯には下校判断はしない。といった条件を設定できる。これらの条件を設定することにより、管理サーバ５０の処理能力を有効的に利用することができる。
ＹＥＳの場合、処理をステップＳ１０７に進める。
ＮＯの場合、処理をステップＳ１０８に進める。
【００５１】
（ステップＳ１０７）
ここで、下校パターン処理を行う場合、下校パターン、すなわち児童が下校する際に学校内を通るルートに沿った下校判断の処理を行う。
下校判断の処理においても、上述のステップＳ１０５と同様に、レシーバが無線ＩＣタグの信号を検出した場合、バッファに記憶する。管理サーバ５０は、各レシーバのバッファをＬＡＮ経由で閲覧し、バッファ内のデータをトランザクションＤＢの受信ジャーナルに追加し、各児童のデータを追加してトランザクションＤＢの出席簿を更新する。下校処理の場合は、出席簿に「下校済み」のデータを書き込む。
【００５２】
登下校検出用プログラムのプロセスは、更新した出席簿を基にして、データベースに登録しているすべての児童に対して児童が下校したかを判断する。
各アンテナとレシーバの位置については、上述のステップＳ１０５と同様であり、概要としては登校判断と反対の順で検出する処理を行う。すなわち、回数的には２回、検知した場合には、下校したと判断する。
この下校判断の処理の詳細について、図７のフローチャートを用いて、以下で詳細に説明する。
【００５３】
（ステップＳ３０１）
レシーバ１０−１により、高学年の廊下６００に設置するアンテナ１Ａで無線ＩＣタグの信号を検知したか判断する。ＹＥＳの場合、処理をステップＳ３０６に進める。ＮＯの場合、処理をステップＳ３０２に進める。
【００５４】
（ステップＳ３０２）
レシーバ１０−１により、高学年の廊下６００に設置するアンテナ１Ｂで児童の無線ＩＣタグの信号を検知したか判断する。ＹＥＳの場合、処理をステップＳ３０６に進める。ＮＯの場合、処理をステップＳ３０３に進める。
【００５５】
（ステップＳ３０３）
レシーバ１０−２により、低学年の廊下７００に設置するアンテナ２Ａで無線ＩＣタグの信号を検知したか判断する。ＹＥＳの場合、処理をステップＳ３０６に進める。ＮＯの場合、処理をステップＳ３０４に進める。
【００５６】
（ステップＳ３０４）
レシーバ１０−２により、低学年の廊下７００に設置するアンテナ２Ｂで児童の無線ＩＣタグの信号を検知したか判断する。ＹＥＳの場合、処理をステップＳ３０６に進める。ＮＯの場合、処理をステップＳ３０５に進める。
【００５７】
（ステップＳ３０５）
ステップＳ３０５においては、下校なしと判断して、下校判断の処理を終了する。
完全に学校を閉める際に、まだ下校していない児童がいた場合、教師又は警備員の注意を喚起する情報をデータベースに作成する。また、警備用プログラムに通報することも可能である。
【００５８】
（ステップＳ３０６）
レシーバ１０−３により、低学年昇降口１００に設置するアンテナ３Ａで無線ＩＣタグの信号を検知したか判断する。ＹＥＳの場合、処理をステップＳ３１３に進める。ＮＯの場合、処理をステップＳ３０７に進める。
【００５９】
（ステップＳ３０７）
レシーバ１０−３により、低学年昇降口１００に設置するアンテナ３Ａで無線ＩＣタグの信号を検知したか判断する。ＹＥＳの場合、処理をステップＳ３１３に進める。ＮＯの場合、処理をステップＳ３０８に進める。
【００６０】
（ステップＳ３０８）
レシーバ１０−４により、高学年昇降口２００に設置するアンテナ４Ａで無線ＩＣタグの信号を検知したか判断する。ＹＥＳの場合、処理をステップＳ３１３に進める。ＮＯの場合、処理をステップＳ３０９に進める。
【００６１】
（ステップＳ３０９）
レシーバ１０−４により、高学年昇降口２００に設置するアンテナ４Ｂで無線ＩＣタグの信号を検知したか判断する。ＹＥＳの場合、処理をステップＳ３１３に進める。ＮＯの場合、処理をステップＳ３１０に進める。
【００６２】
（ステップＳ３１０）
レシーバ１０−５により、高学年昇降口２００に設置するアンテナ５Ａで無線ＩＣタグの信号を検知したか判断する。ＹＥＳの場合、処理をステップＳ３１３に進める。ＮＯの場合、処理をステップＳ３１１に進める。
【００６３】
（ステップＳ３１１）
レシーバ１０−６により、正面職員入り口３００に設置するアンテナ６Ａで無線ＩＣタグの信号を検知したか判断する。ＹＥＳの場合、処理をステップＳ３１３に進める。ＮＯの場合、処理をステップＳ３１２に進める。
【００６４】
（ステップＳ３１２）
ステップＳ３１２においては、異常処理を行う。
上述のステップＳ３０１〜Ｓ３０４において、クロック手段とカレンダー手段により授業中の時間と判断することができる時間に、無線ＩＣタグの信号を廊下であるアンテナ１Ａ、１Ｂ、２Ａ、２Ｂが検出した場合、教師の注意を喚起する情報をデータベースに作成する。ここで、もし児童が教室内にいる場合に信号が検知された場合は、アンテナの感度を調整するように指示することができる。
また、下校時間に、廊下で検知された後で、所定時間（例えば１時間）下校していない場合、教師の注意を喚起する情報をデータベースに作成する。
この場合、学校内のどこかでたむろしているだけならよいが、当該児童が怪我をして倒れているか、閉じこめられているか、といった異常な事態が起こっている可能性がある。よって、制御用ＰＣ３０が注意を喚起する情報を読み取った場合、大型モニター４０に、児童を捜しに行くことを勧めるメッセージを表示することができる。
【００６５】
（ステップＳ３１３）
ステップＳ３１３においては、下校ありと判断して、下校判断の処理を終了する。
【００６６】
（ステップＳ１０８）
ここで、また図５のフローチャートに戻って説明する。
ステップＳ１０８において、管理サーバ５０は、大型モニター表示データ作成処理を行う。ここでは、トランザクションＤＢの出席簿の内容を基に、制御用ＰＣ３０が大型モニター４０に登下校状況表示として表示するデータを作成して、共有ディレクトリ等に格納する。
この表示するデータは、各教室に児童が登校しているか、遅刻していないか、エラーはあるか等の情報を確認できるデータである。
表示するデータの形式としては、ＣＳＶ形式等のテキストデータでも、ウェブブラウザ等で直接表示可能な画像データであってもよい。
【００６７】
また、制御用ＰＣ３０は、１年生〜６年生とあすなろ学級の児童の登下校状況表示がすべて終了した時点で、管理サーバ５０がすでに作成している表示データのうち、最新の登下校状況のデータを取得する。そして、また、１年生〜６年生とあすなろ学級と登下校状況を表示し、連続して上記の動作を行う。
ここで、管理サーバ５０が作成したデータがテキストデータの場合、制御用ＰＣ３０で実行しているＡｄｏｂｅ社のＦｌａｓｈ等を使用した他の表示プログラムにより、画像データとして表示する。また画像データの場合、一定時間で更新するタグ等の埋め込まれたＨＴＭＬ等を用いて、ウェブブラウザ等で直接表示する。
制御用ＰＣ３０で表示する登下校状況としては、色の設定が可能で、登校：青、下校：黄色、遅刻：橙、欠席：白で表現することができる。
この色の設定により、教師が登下校状況について素早く認識することが可能になる。
【００６８】
（ステップＳ１０９）
次に、管理サーバ５０は、トランザクションＤＢの出席簿から、登校又は下校した児童の無線ＩＣタグのＩＤのリストを作成する。
このリストに基づいて、保護者が電子メールの配信を希望しているとデータベースにあらかじめ記憶している児童の保護者に向けて、該当する児童が登校又は下校した旨を知らせる登校又は下校のお知らせ電子メールを作成する。
【００６９】
（ステップＳ１１０）
次に、管理サーバ５０は、電子メールの配信を行うかどうか判断する。上述のステップＳ１０２１又はステップＳ１０２２で取得した情報により、登校日又は登下校についての電子メールを知らせるべき日であるか、且つ、児童が登校したことを知らせる登校メールを配信する時間帯であるか、又は児童が下校したことを知らせる下校メールを配信する時間帯であるかについて判定する。
ＹＥＳの場合、ステップＳ１１１に処理を進める。
ＮＯの場合、ステップＳ１１２に処理を進める。
【００７０】
（ステップＳ１１１）
ここで、通常の登校日である「該当日」であった場合、上述のステップＳ１１０で作成した電子メールを、上述のステップＳ１０９のリストに載った児童の保護者の電子メールアドレスに向けて、管理サーバ５０が電子メール配信用プログラムを用いて送信する。
【００７１】
（ステップＳ１１２）
次に、ステップＳ１１２において、管理サーバ５０は、遠隔保守用サーバに保守管理用のデータを送信する保守管理データ送信処理を行う。
具体的には、この保守管理データは、現処理時間の１５分程度前の検知データの差分と、現処理時間の１５分程度前のログデータの差分と、現処理時間の出席簿データとを含んでいる。また、ルータ２０からＷＡＮ１０００を介して遠隔保守用サーバ８００へＳＦＴＰによるファイル転送や電子メール等により送信する。
以上、保守管理データの送信により、登下校検出用プログラムは終了する。
【００７２】
［遠隔保守処理］
ここで、保守管理データを受け取った際に、遠隔保守用サーバ８００の記憶部に記憶している遠隔保守処理用プログラムを、遠隔保守用サーバ８００の演算制御部が実行する処理について、図８のフローチャートを参照してさらに詳しく説明する。
【００７３】
（ステップＳ４０１）
まず、ステップＳ４０１においては、保守管理データの受信処理を行う。
具体的には、保守管理データの上述の検知データの差分から正規の検知データを作成し、ログデータの差分から正規のログデータを作成し、遠隔保守用サーバ８００のデータベースに保存する。また、現処理時間の出席簿データも、遠隔保守用サーバ８００のデータベースに保存する。
【００７４】
（ステップＳ４０２）
次に、ステップＳ４０２においては、上述の正規の検知データをもとに、監視通報プログラム処理を行う。
具体的には、管理サーバ５０で実行している登下校検出用プログラムと同一のプログラムである監視通報プログラムを遠隔保守用サーバ８００が実行することで、管理サーバ５０の出席簿と同様の出席簿データ（以下、分析用出席簿データとする。）を作成する。
【００７５】
（ステップＳ４０３）
次に、ステップＳ４０３においては、分析処理を行う。
具体的には、管理サーバ５０の現処理時間の出席簿データと、ステップＳ４０２で作成した出席簿データとを比較し、正規のログデータを参照する。この参照においては、経験則を基にした条件判断による解析であるヒューリスティックな処理を行い、管理サーバ５０が正常な状態か否かについて分析する。
【００７６】
この分析においては、例えば、保守管理データが受信できなければ、管理サーバ５０がハングアップしていることを推測する。
また、現処理時間の出席簿データと、分析用出席簿データで内容に齟齬が生じている場合は、保守管理データの受信ミスなのか、管理サーバ５０の処理が間に合わないのか等について分析可能である。
さらに、ログデータにエラー記録が蓄積されている場合、そのエラーがレシーバの故障によるものか、プログラムの不具合によるものか等について、分析することができる。
【００７７】
（ステップＳ４０４）
次に、ステップＳ４０４においては、分析結果表示処理を行う。
具体的には、上述のステップＳ４０３で分析した分析結果を、遠隔保守用サーバ８００がディスプレイに表示する。
ここで、もし管理サーバ５０が正常な状態でなかった場合、すなわち上述のヒューリスティックな処理で問題があると分析した場合は、エラー時の対応方法についても表示する。具体的には、予め用意しているヘルプファイルから、対処方法のマニュアルを表示する。例えば、管理サーバ５０がハングアップしている場合、遠隔保守センターから管理サーバ５０を再起動可能である場合は、遠隔保守用サーバ８００から管理サーバ５０が再起動を行うようなコマンドを送信することができる。
さらに、管理サーバ５０の管理者が遠隔保守センターにいない場合、所定の電子メールアドレスにエラーに関する電子メールを送信することもできる。
【００７８】
（ステップＳ４０５）
次に、ステップＳ４０５においては、管理サーバ５０において、電子メール配信にエラーがあったかについて判定する。
具体的には、上述の分析結果と、上述の正規のログデータから、管理サーバ５０の電子メール配信が正常に行われているか、遠隔保守用サーバ８００の電子メール配信エラーチェックプログラムにより判定する。
この判定により、エラーがあった、すなわちＹｅｓの場合、ステップＳ４０６に処理を進める。
エラーがなかった、すなわちＮｏの場合、遠隔保守処理用プログラムの実行を終了する。
【００７９】
（ステップＳ４０６）
ステップＳ４０６においては、遠隔保守用サーバ８００の記憶部に記憶している電子メール配信用プログラムを用いて、電子メールを送信する。
具体的には、上述の分析用出席簿データと正規のログデータから、エラーがあった箇所の児童の無線ＩＣタグのＩＤに対応する、児童の保護者の電子メールアドレスに向けて、電子メール配信を行う。
ここで、児童の保護者の電子メールアドレスが有効でなかった場合には、その旨のメッセージが遠隔保守用サーバ８００の表示部に表示し、電子メール配信のログに記憶する。
以上で、遠隔保守処理用プログラムの実行を終了する。
【００８０】
［養護クラスの処理］
次に、上述の登下校検出用プログラムの登校判断の処理又は下校判断の処理において、養護クラスである、あすなろ学級４００での特別な処理について説明する。
あすなろ学級４００の教室は低学年昇降口に隣接しており、アンテナ３Ａ、３Ｂ、６Ｂは、ほぼ同時にタグを検知するため、２地点の通過による判断は難しい。
そこで養護クラスに所属する児童の無線ＩＣタグのＩＤを管理サーバ５０の登下校検出用プログラムが検出した場合、上述の登校判断の処理においては、教室内に設置したアンテナ６Ｂがタグを検知した時に登校と判断する。
【００８１】
また、同様に、管理サーバ５０の登下校検出用プログラムが行う下校判断の処理については、教室内に設置したアンテナ６Ｂがタグを検知できない時に、無線ＩＣタグのＩＤの消失データ（無線ＩＣタグの検知後、検知できなくなった時にレシーバが送出するデータ）を管理サーバ５０が検出してから、所定の時間そのタグを検知できない場合に下校と判断する。この所定の時間に関しては、制御用ＰＣ３０から設定可能である。
なお、上述の消失データは人の動き等に反応して頻繁に送出される。これは、タグの発信している信号に、ある程度のノイズが含まれると消失となってしまうためである。よって、消失データの発生のみで下校を判断することは好ましくない。
【００８２】
以上のように構成することにより、以下のような効果を得ることができる。
まず、従来技術１は、ゆっくりと荷物が入出する入室管理ステムであるため、活発で自由な動きをし、登校時間に多人数が短時間でアンテナの前を通過する活発な児童・生徒の無線ＩＣタグの信号を確実に検知するのは難しかった。
【００８３】
しかし、本発明の第１の実施の形態に係る入出管理システムＸにおいては、児童が多数入出する箇所に複数のアンテナを設けたこと、６分ごとに検出したこと、更に、登校パターンと下校パターンの管理を行うことにより、確実に児童・生徒の無線ＩＣタグの信号を確実に検知することができる。これにより、活発で自由な動きをする児童・生徒の無線タグの信号を確実に検知することができる。
【００８４】
また、子供である児童・生徒はランドセル等に無線ＩＣタグを入れているので、児童が無線ＩＣタグを忘れる可能性が低く、紛失する事態が起こる可能性も低い。さらに、無線ＩＣタグは非接触式で、かなりの距離が離れていても検知することが可能であるため、小学校低学年の児童でも容易に入出管理をすることができる。
【００８５】
更に、常に無線ＩＣタグを監視する必要がある場所である、障害児童のための「あすなろ学級」に無線ＩＣタグのアンテナを置いて、該当する無線ＩＣタグを検知するかについて監視することで、児童の入出状況に加えて入室状況についてもモニターすることができる。
これにより、障害がある児童・生徒が確実に「あすなろ学級」から登下校できているかについて、教師が気にかけることができる。
【００８６】
また、無線ＩＤカードを持ったメンテナンス要員や警備員等が入退室をするための入退室管理を、児童の無線ＩＣタグの管理と同じシステムにより行うことで、警備システムのコストを削減し、システムの管理・監視の負担を軽減することができる。
【００８７】
さらに、所定の時間の間隔で無線ＩＣタグの検出処理（例えば、本発明の第１の実施の形態に係る登下校検出用プログラムの実行）を行うシステムにより、管理サーバの処理能力を最大限に活用することができる。
これにより、管理サーバのコストを削減し、入出管理システムの構成を単純化することができ、開発時間の削減、開発コストの削減も実現できる。これにより、入出管理システム価格を、従来の５０〜６０％程度まで引き下げることが可能になる。
【００８８】
なお、上述の登校判断処理では、登校判断を低学年、高学年を分けずに処理するように説明したが、低学年の場合には低学年の廊下を優先して検出し、高学年の場合には高学年の廊下を優先して検出することで、登下校検出用プログラムの実行効率を高めることが可能である。
【００８９】
また、上述の第１の実施の形態においては、小学校の入出管理システムにおける処理として記述したが、本発明の第１の実施の形態に係る入出管理システムは、様々なシチュエーションにおいて、使用することができる。
たとえば、認知症等の障害を持っている人に無線ＩＣタグを持たせ、建物への入出を確実に管理することができる。すなわち、特別養護老人ホームや、老人保健施設等で使用することが可能である。この場合、老人は児童に比べて行動スピードが速くないので、アンテナの数を減らすことが可能である。また、同数のアンテナの場合、検出精度を高めることができる。
また、医療機関でこのシステムを使用することにより、入院患者の取り違えといった医療事故を防ぐことが可能になる。
【００９０】
なお、上述の第１の実施の形態に係る各レシーバは、双方向レシーバ機能を持つ。よって、各レシーバは、無線ＩＣタグを検知した場合、検知したという情報を、内蔵するバッファに書き込むように構成してもよい。
この場合、管理サーバ５０はの管理プログラムが、各レシーバのバッファをＬＡＮ経由で閲覧し、バッファ内のデータをトランザクションＤＢの受信ジャーナルに追加する。
【００９１】
＜第２の実施の形態＞
上述の実施の形態に係る遠隔保守用サーバ８００は、必要十分な機能をもっているが、さらに高度な信頼性と頑健性（ロバストネス）を持たせるために、本発明の発明者らは鋭意システムの改良を行った。
【００９２】
図９を参照すると、本発明の第２の実施の形態に係る、ＣＳ（Ｃｕｓｔｏｍｅｒ  Ｓｕｐｐｏｒｔ）センターにより遠隔監視をする際の概念図である。
このＣＳセンター内には、遠隔監視を行うためのサーバ群が設置されて、本発明の第２の実施の形態に係る遠隔監視処理を行う。
本発明の第２の実施の形態に係る入出監視システムＹでは、本発明の第１の実施の形態と同様に、例えば、高学年昇降口２００とで児童・生徒が検知された場合に、職員室５００にある管理サーバ５１が登校判断又は下校判断を行う。また、管理サーバ５１は、保護者へメール送信も行う。なお、ここでは小学校の高学年昇降口２００と、高学年の廊下６００での検知を例に説明するが、他の箇所でも同様である。
この際に、入出監視システムＹでは、遠隔監視部１１００のサーバ群が、学校のシステム管理サーバ５１が正常に作動しているかを遠隔監視する。また、ＣＳセンターにいる管理者が、ＶＰＮ（ヴァーチャル・プライベート・ネットワーク、仮想プライベートネットワークを用いたＷＡＮ１００１を介して、学校等に設置された管理サーバ５１を直接制御することもできる。
【００９３】
図１０を参照して、本発明の第２の実施の形態に係る遠隔監視について更に説明する。
本発明の第２の実施の形態に係る遠隔監視では、上述の第１の実施の形態と同様に、例えば小学校にて、管理サーバ５１の演算制御部はタイマーを実行し、登下校検出用プログラムを実行し、制御用ＰＣ３０用の表示データの作成処理を行って、例えば児童登下校監視通報システムとして動作している。また、管理サーバ５１では、上述の第１の実施の形態と同様に、検知データの差分とログデータの差分である差分データを作成し、保護者へのメールも配信している。
ＣＳセンターの遠隔監視部１１００では、サーバ群のうち、遠隔保守用サーバにて保守管理データを受け取る。そして、この保守管理データから、登下校の様子についてもＣＳセンターの監視員に理解できるように表示する。さらに、保守管理データを分析して、分析結果を表示する。
これらの処理に加えて、管理サーバ５１での電子メールの配信がうまくいかない場合など、ＣＳセンターにいるシステムの管理者が管理サーバ５１を、ＶＰＮを用いて直接遠隔操作することができ、これにより、早急にシステムの復旧等を行うことができる。
【００９４】
（入出管理システムＹの制御構成）
ここで、図１１を参照して、本発明の第２の実施の形態に係る入出管理システムＹについてより具体的に制御構成を説明する。図１１では、上述の第１の実施の形態と同一の符号は同様の構成要素を示している。
入出管理システムＹにおいては、上述の概念図のような機能を実現するために、小学校等に設置された管理サーバ５１を備え、ＣＳセンターに設置されたサーバ群を遠隔監視部１１００（遠隔監視手段）として備えている。小学校等とＣＳセンターとの間は、ＶＰＮや専用線等のセキュアなネットワークであるＷＡＮ１００１にて接続している。
管理サーバ５１は、ハードウェア的には管理サーバ５０と同等の構成をとることができ、後述する登下校検出用プログラムの動作の一部を変更したものである。
遠隔監視部１１００は、保守管理データの分析や表示等を行う遠隔保守用サーバ８０１と、リモート接続サーバ８１２とを備えている。
遠隔保守用サーバ８０１は、ハードウェア的には遠隔保守用サーバ８００と同様であり、さらに大型モニター４０と同様の表示ができる高精細ディスプレイのモニターを備えている。このモニターにより、ＣＳセンターの管理者は、小学校等の登下校状況を把握することが可能である。
リモート接続サーバ８１２は、一般的なＰＣ／ＡＴサーバ等やＰＣであり、Ｗｉｎｄｏｗｓ（登録商標）のＯＳがインストールされている。リモート接続サーバ８１２は、リモートデスクトップ接続等を用いて、ＶＰＮ等にてＷＡＮ１００１を介して管理サーバ５１に接続し、各種操作を行うことができる。
なお、リモート接続サーバ８１２の機能は、遠隔保守用サーバ８０１に含まれていてもよい。また、遠隔監視部１１００は、例えば小学校の近く等のＣＳセンターとは別の箇所に設置して、ＣＳセンターの管理者がリモート接続して監視することもできる。
さらに、遠隔保守用サーバ８０１のモニターは、リモート接続サーバ８１２に接続されていても、ネットワーク接続された別のモニターのようなものを遠隔監視部１１００内に備えていてもよい。これらのモニターは、以下の処理にて遠隔保守用サーバ８０１のモニターとまったく同様の表示を行うことができる。
【００９５】
また、入出管理システムＹにおいては、図３をまた参照すると、児童・生徒を検知する各アンテナの配置は第１の実施の形態に係る入出管理システムＸと同様である。
ここでは、低学年昇降口１００のアンテナ３Ａ、３Ｂと、高学年昇降口２００のアンテナ４Ａ、４Ｂ、５Ａと、正面職員入り口３００のアンテナ６Ａとを「外側Ａ、Ｂ」のアンテナとする。
さらに、あすなろ学級４００のアンテナ６Ｂと、高学年の廊下６００のアンテナ１Ａ、１Ｂと、低学年の廊下７００のアンテナ２Ａ、２Ｂとを「内側Ａ、Ｂ」のアンテナとする。
これら「外側Ａ、Ｂ」と「内側Ａ、Ｂ」のアンテナの種別は、後述する登下校特別判定処理の際に用いる。
【００９６】
（入出管理システムＹの動作）
［登下校検出用プログラムの動作］
次に、本発明の第２の実施の形態に係る入出管理システムＹの実際の処理について説明する。
ここで、図１２〜１３を参照して、管理サーバ５１の演算制御部が実行する、登下校検出用プログラムの動作について説明する。
管理サーバ５１では、より信頼性と頑健性を高めるために、ステップＳ５０（詳細には、ステップＳ５０１〜Ｓ５０３）の処理を行う。それ以外の処理については、上述の管理サーバ５０が実行するステップＳ１０１〜Ｓ１１２とこの関連するステップと同様の処理を、管理サーバ５１の演算制御部が実行する。
管理サーバ５１は、ステップＳ１０７までの処理を実行し、その後に以下の処理を行う。
【００９７】
（ステップＳ５０１）
管理サーバ５１は、検知余裕時間差チェック処理を行う。
これは、障害発生時などシステムが異常終了した場合、レシーバ１０−１〜１０−６に受信データが残っていることに起因する不具合を防ぐための処理である。すなわち、システム復旧が翌日になった場合、前日のデータがシステム内に取り込まれてしまうケースがあり、それを防ぐための機能である。
実際のところ、無線ＩＣタグの受信データには、時間については入っているものの、日付が入っていないものが多い。このため、そのデータが確実に当日のデータと認識することはできない。
そこで、実際に検知を行った際の時間と、データに記録された時間との差を、前日のデータ等の異常データでないかを判定するフィルタとして用いる。その検知を行った時間の差を、「検知余裕時間差」とよぶ。
このフィルタでは、下記の２条件を基に、データを選別する。
検知時間  ＜  ［今の時間］＋［検知余裕時間差（単位：分）］
ＡＮＤ
検知時間  ＞  ［今の時間］−［検知余裕時間差（単位：分）］
つまり、検知時間余裕差よりも前や後の時間が記憶されたデータについては、異常データとして用いないようにする。
これにより、ほぼシステムが異常終了した際などのレシーバ１０−１〜１０−６のデータを確実に排除することができる。
【００９８】
（ステップＳ５０２）
次に、管理サーバ５１は、登下校特別判定処理を行うかどうかについて判定する。
登下校特別判定処理は、無線ＩＣタグの信号を１箇所のみ検知した場合でも登下校と判断する処理である。
このステップＳ５０２では、管理サーバ５１は、タイマー手段により時刻を取得して、登下校特別判定処理を行う季節、時間帯であるか記憶部を参照して判定する。また、後述するように、登下校特別判定処理を行う登下校（入退室）の状況であるかについても判定する。
Ｙｅｓの場合は、管理サーバ５１は、処理をステップＳ５０３に進める。
Ｎｏの場合は、管理サーバ５１は、処理をステップＳ１０８に進める。
【００９９】
（ステップＳ５０３）
管理サーバ５１は、登下校特別判定処理を行う。
ここで、上述のステップＳ２０１〜Ｓ２１２の登校判断処理と、ステップＳ３０１〜Ｓ３１３の下校パターン処理においては、アンテナで２回（２箇所）無線ＩＣタグの信号を検出した場合に、それぞれ登校又は下校と判定した。
しかしながら、無線ＩＣタグは無線技術を用いているために確実に受信される保障がなく、また、複数の児童が同時にアンテナのある場所を通過すると、稀に電波が干渉して受信できないことがある。
特に冬期間は防寒着や天候により、アンテナの感度が落ちるために、受信状況に影響がでる。このため、２点間の通過により登下校の判定を行うと、１回の受信では登下校なしとなる。また１回のみ検知で、上述の「半分登校」や異常処理を行った場合も、管理者が確認を毎回行う必要があるため、手間がかかる。
実際には、各学年の登下校の時間帯には、ほぼ確実に１回の検出であっても生徒が登校又は下校していると判断することができる。さらに、登下校の時間帯では、登校確認や下校確認に、比較的長い処理時間がかかり、処理や管理の負荷も増える。
そこで、特に冬期の登下校時間では、無線ＩＣタグの検知が「外側Ａ、Ｂ」又は「内側Ａ、Ｂ」のアンテナでの検知１回（１箇所のみで他方が受信できない場合）でも、登下校と判定する登下校特別判定処理を、学年毎に行うこととした。
すなわち、生徒・児童等が出入りしたと判断するための検知回数を変化させることができる。
【０１００】
この特別判定処理を行う際、季節としては、入出管理システムＹが設置されている場所の平均気温等を考慮して決定することができる。たとえば、東北地方では、１１月〜３月までを登下校特別判定処理をする季節とすることができる。なお、ＷＡＮ１００１のインターネット網から取得したお天気情報などを基にして、気温や天気等も考慮して判断することもできる。
また、この登下校特別判定処理を小学校に用いる場合は、学年毎に登下校時間や児童の活発さを考慮して、「外側Ａ、Ｂ」又は「内側Ａ、Ｂ」毎に、以下のような設定時刻で行うことができる：
登校：
（１，２年）        「外側Ｂ」のみ検知の設定時刻は  ８：３５〜  ８：５８
（３，４，５，６年）「外側Ａ」のみ検知の設定時刻は  ８：３５〜  ８：５８
（１，２年）        「内側Ｂ」のみ検知の設定時刻は  ８：３５〜  ８：５８
（３，４，５，６年）「内側Ａ」のみ検知の設定時刻は  ８：３５〜  ８：５８
下校：
（１年）            「外側Ｂ」のみ検知の設定時刻は１５：０５〜
（２年）            「外側Ｂ」のみ検知の設定時刻は１５：３５〜
（３，４，５，６年）「外側Ａ」のみ検知の設定時刻は１６：００〜
【０１０１】
なお、登下校の児童・生徒数が増えたとき、すなわち入退室の状況により、登下校時間と判定して、ＣＳセンターの遠隔保守用サーバ８０１にて、登下校特別判定処理を設定するようにすることもできる。
図１３を参照して、保守管理データの一部の例を用いた場合の、この例に対して登下校特別判定処理をした結果について、以下で詳しく説明する。
【０１０２】
図１３の「開始時刻」は、小学校側における管理サーバ５１で登下校検出用プログラムの１回の実行が開始される時間を示す。
「終了時刻」は、管理サーバ５１で登下校検出用プログラムの１回の実行が終了する時間を示す。
「処理時間」は、管理サーバ５１で登下校検出用プログラムの１回の実行に必要だった時間を示す。すなわち、「終了時刻」から「開始時刻」を引いた秒数を示す。この「処理時間」は、登下校する生徒が増えると、当然、長い時間が必要である。
「遠隔側差分データ取得処理開始時間」は、ＣＳセンター側の遠隔保守用サーバ８０１にて６分毎に差分データを取得するための処理が開始される時間である。
【０１０３】
そして、図１３の太線で囲んだ箇所は、管理サーバ５１での「処理時間」が所定の時間（例えば２分）を超えた箇所である。
このように、所定の時間を超えた場合は、後述するステップＳ６０２の監視通報プログラム処理にて、遠隔保守用サーバ８０１は登下校特別判定処理を行う。上述のように、登下校の時間帯には、無線ＩＣタグの読み込みのエラーが増えるのと同時に、１回でも検出すればほぼ登下校を判定できる。
これにより、ＣＳセンターの管理者が監視の負担を軽減することができるという効果が得られる。
また、遠隔保守用サーバ８０１は、この特別判定処理を行う場合、遠隔保守用サーバ８０１はより高度な管理手段を備えているため、保守管理データ取得後、ＣＳセンター側で独自に登下校判定を行うことで、正常稼動を確認することができる。
【０１０４】
なお、遠隔保守用サーバ８０１は、この特別判定処理を行った上で、管理サーバ５１に判定結果を送信して表示を同期させるようにしてもよい。これにより、例えば小学校の教諭の負担を軽減する効果が得られる。
また、上述の特別判定処理においては、検知回数を減らすように構成したが、逆に、例えば冬期以外は全てのアンテナで検知されないと登下校と判断しないように、検知回数を増やして、より確実性を高めることも可能である。
【０１０５】
［遠隔保守用サーバ８０１の遠隔保守処理］
次に、図１４を参照して、遠隔保守用サーバ８０１の遠隔保守処理について説明する。この遠隔保守処理は、遠隔保守用サーバ８００が実行するステップＳ４０１〜Ｓ４０６の遠隔保守処理を、ＣＳセンターにて実行するように改良したものである。すなわち、遠隔監視部１１００の遠隔保守用サーバ８０１とリモート接続サーバ８１２により、管理サーバ５１又はＰＣ３０と同様な入出管理を行い、管理サーバ５１又はＰＣ３０の機能を監視し、遠隔操作する。
遠隔保守用サーバ８０１の遠隔保守処理では、管理サーバ５１から保守管理データを受け取った際に、遠隔保守用サーバ８０１の記憶部に記憶している遠隔保守処理用プログラムを、遠隔保守用サーバ８０１の演算制御部が実行する。
以下で、この処理について、さらに詳しく説明する。
【０１０６】
（ステップＳ６０１）
まず、ステップＳ６０１においては、保守管理データの受信処理を行う。
この処理は、ほぼステップＳ４０１の保守管理データの受信処理と同様である。すなわち、小学校内の管理サーバ５１から受信した保守管理データの検知データの差分から正規の検知データを作成し、ログデータの差分から正規のログデータを作成し、遠隔保守用サーバ８０１のデータベースに保存する。また、現処理時間の出席簿データも、遠隔保守用サーバ８０１のデータベースに保存する。
この受信処理の処理間隔は、所定間隔（例えば、６分間隔）である。この際に、管理サーバ５１の登下校検出用プログラムの動作と、なるべく重ならないように、管理サーバ５１側から取得する。
具体的には、小学校側の管理サーバ５１では１回の処理は、所定時間、例えば４分あれば処理が終了できるようにシステムを設計するのが好適である。そして、ＣＳセンターでは小学校の管理サーバ５１の登下校検出用プログラムの処理開始の所定時間（例えば、４分）後に取得処理を開始する。
【０１０７】
（ステップＳ６０２）
次に、遠隔保守用サーバ８０１は、上述の正規の検知データをもとに、監視通報プログラム処理を行う。このステップＳ６０２は、ステップＳ４０２の処理を拡張したものである。
具体的には、管理サーバ５１で実行している登下校検出用プログラムと同一のプログラムである監視通報プログラムを遠隔保守用サーバ８０１が実行する。この際に、上述したステップＳ５０１〜Ｓ５０３の処理についても実行する。これにより、分析用出席簿データを作成する。
さらに、遠隔保守用サーバ８０１は、モニターに表示する登下校状況表示用のデータについても作成する。この登下校状況表示用のデータは、ステップＳ１０８の大型モニター表示データ作成処理で作成するデータと同様なデータを用いる。これに加えて、遠隔保守用サーバ８０１は、上述の登下校特別判定処理を行った場合はそのことを色の変化や数値の変化等で示すようなデータを作成してもよい。
すなわち、遠隔保守用サーバ８０１は、取得した差分データをもとに無線ＩＣタグ受信データとログデータを更新し最新の内容にする。
【０１０８】
（ステップＳ６０３）
次に、遠隔保守用サーバ８０１は、登下校状況表示処理を行う。
具体的には、上述の制御用ＰＣ３０が大型モニター４０に表示するのと同様な処理を、遠隔保守用サーバ８０１にて実行する。すなわち、ステップＳ６０２で作成した登下校表示用データや登下校特別判定処理を行った場合のデータを表示する。
これにより、最新の状態の無線ＩＣタグ受信データ、ログデータから、例えば小学校内で表示されているのと同様な登下校状況表示を、ＣＳセンター内に再現することができ、ＣＳセンターの管理者がより状況を把握しやすく、管理しやすくなるという効果が得られる。
なお、遠隔保守用サーバ８０１のモニターの画面の大きさが小さい場合等は、より簡易的な表示を用いて、監視員が見やすいように構成してもよい。
【０１０９】
（ステップＳ６０４）
次に、遠隔保守用サーバ８０１は、分析処理を行う。これは、ステップＳ４０３と同様の処理である。
この際に、上述の検知余裕時間差チェック処理と登下校特別判定処理を行っていた場合には、その妥当性についてヒューリスティック解析や人工知能的な解析手法等で分析することもできる。
【０１１０】
（ステップＳ６０５）
次に、遠隔保守用サーバ８０１は、分析結果表示処理を行う。これは、ステップＳ４０４の分析内容を表示するのと同様の処理である。
さらに加えて、遠隔保守用サーバ８０１は、分析内容をＣＳセンター内の遠隔保守用サーバ８０１のモニターに登下校状況と同時に表示する。
これにより、ＣＳセンターの管理者が、登下校状況表示と分析結果を見比べて、入出管理システムＹの動作状況や生徒・児童の登下校状況に異常がないかを把握しやすくなるという効果が得られる。
【０１１１】
（ステップＳ６０６）
次に、遠隔保守用サーバ８０１は、エラーチェック処理を行う。
この処理においては、遠隔保守用サーバ８０１は、最新の状態の無線ＩＣタグ受信データ、ログデータと、ステップＳ６０４の分析処理で分析した小学校側の当日分出席簿データとにより、小学校内の児童登下校監視の各構成部位が正常な状態にあるか、すなわちエラーがないかをチェックする。
また、遠隔保守用サーバ８０１は、検知余裕時間差チェック処理と登下校特別判定処理についても妥当であるかをチェックし、妥当でない場合はエラーとする。
さらに、遠隔保守用サーバ８０１は、メールの配信がエラーなく正常に行われたのかについても、チェックすることができる。
【０１１２】
（ステップＳ６０７）
ここで、遠隔保守用サーバ８０１は、エラーがあったかについて判定する。
Ｙｅｓ、すなわちエラーがあった場合は、遠隔保守用サーバ８０１は、処理をステップＳ６０８に進める。
Ｎｏ、すなわちエラーが見つからなかった場合は、遠隔保守用サーバ８０１は、遠隔保守処理を終了する。
【０１１３】
（ステップＳ６０８）
遠隔保守用サーバ８０１は、エラーがあった場合は、遠隔保守用サーバ８０１は、モニターに警告を表示する。それを見た遠隔保守用サーバ８０１の管理者は、ログデータ、分析用出席簿データなどを論理的に分析し、システム状態の妥当性を判断することができる。
さらに遠隔保守用サーバ８０１は、小学校内の各構成部位のエラーがあった箇所について、自動的に復旧を試みる。この復旧のための方法としては、マジックパケット等による管理サーバ５１や制御用ＰＣ３０の再起動や、各プログラムやデーモン（サービス）の再起動等が含まれる。また、メール配信については、遠隔保守用サーバ８０１は、配信できなかった保護者へ残りのメールを配信するように管理サーバ５１に指示することもできる。
【０１１４】
それでも復旧できない場合は、遠隔保守用サーバ８０１は、その旨をモニターに表示して、リモート接続サーバ８１２にリモート接続をするようなコマンドを通知する。
リモート接続サーバ８１２は、リモート接続やＳＳＨ（セキュア・シェル）等を用いて、管理サーバ５１や制御用ＰＣ３０にログインする。また、ＷＡＮ１００１を介した図示しないＩＰ電話やＩＰ電話プログラム等を用いて、小学校等の職員に、各機器の再起動や調整について指示することもできる。
その後、ＣＳセンターの職員（遠隔保守用サーバ８０１の管理者）は、各種コマンド等を用いて、管理サーバ５１や制御用ＰＣ３０を遠隔操作して、復旧を試みる。もし、復旧が不可能であれば、直接に小学校等に出向いて各構成部位の修復と復旧を行う。
以上により、遠隔保守処理を終了する。
【０１１５】
なお、リモート接続サーバ８１２は、入出管理システムＹの保守や障害発生時に限らず、いつでもリモート接続により管理サーバ５１や制御用ＰＣ３０を遠隔操作することができる。
これにより、教諭が入出管理システムＹについて不明な点があった場合は、すぐに手助けすることができる。
【０１１６】
以上の構成により、以下のような効果を得ることができる。
まず、管理サーバ５１又は遠隔保守用サーバ８０１で検知余裕時間差チェック処理を行うことで、停電やなんらかの要因でレシーバに不正なデータが蓄積し、そのデータがトランザクションＤＢに送信されてしまったような場合に対応できる。すなわち、ほとんどのデータをフィルタリングして異常データを除去することができる。
また、管理サーバ５１又は遠隔保守用サーバ８０１で登下校特別判定処理を行い、登下校時に無線ＩＣタグを１回検出できた場合には登下校を判断することで、入出管理システムＹの処理の負担を軽減し、登下校の誤判断を減らすことができる。
また、ＣＳセンターに遠隔監視部１１００として遠隔保守用サーバ８０１とリモート接続サーバ８１２とを備えて、遠隔監視部１１００にて登下校状況表示を行うことで、入出管理システムＹが正常に稼働しているどうかを、管理者が把握しやすくすることができる。
また、リモート接続サーバ８１２により、管理サーバ５１やＰＣ３０を遠隔操作することで、入出管理システムＹが正常に動作していない場合でも素早く復旧することができる。
これらの効果により、入出管理システムＹの管理者による管理の負担を軽減することができ、小学校内等にある各種機器のメンテナンスを効率的に行うことができる。
よって、入出管理システムＹの信頼性と頑健性を高めることができる。このため、より入出管理システムＹの稼働コストを低減することが可能になる。
さらに、メール配信を遠隔保守用サーバ８０１ではなく、管理サーバ５１から行うことができる。このため、メール配信用のソフトウェアのコストを削減し、より確実にメール配信行うことができる。また、二重にメール配信を行うことを防止可能である。
【０１１７】
なお、上記実施の形態の構成及び動作は例であって、本発明の趣旨を逸脱しない範囲で適宜変更して実行することができることは言うまでもない。
【図面の簡単な説明】
【０１１８】
【図１】本発明の第１の実施の形態に係る入出管理システムＸの構成を示す概念図である。
【図２】本発明の第１の実施の形態に係る入出管理システムＸのブロック図である。
【図３】本発明の第１の実施の形態に係る入出管理システムＸの配置を示す概念図である。
【図４】本発明の第１の実施の形態に係る入出管理システムＸの管理サーバ５０と制御用ＰＣ３０の動作を示すタイミングチャートである。
【図５】本発明の第１の実施の形態に係る登下校検出用プログラムの処理手順を示すフローチャートである。
【図６】本発明の第１の実施の形態に係る登下校検出用プログラムの登校パターン処理を示すフローチャートである。
【図７】本発明の第１の実施の形態に係る登下校検出用プログラムの下校パターン処理を示すフローチャートである。
【図８】本発明の第１の実施の形態に係る遠隔保守処理用プログラムの処理手順を示すフローチャートである。
【図９】本発明の第２の実施の形態に係るＣＳセンターを用いた入出管理システムの構成を示す概念図である。
【図１０】本発明の第２の実施の形態に係る遠隔保守用サーバとＶＰＮを使用した遠隔管理の概念図である。
【図１１】本発明の第２の実施の形態に係る入出管理システムＹのブロック図である。
【図１２】本発明の第２の実施の形態に係る登下校検出用プログラムの処理手順を示すフローチャートである。
【図１３】本発明の第２の実施の形態に係る遠隔保守用サーバ８０１にて登下校特別判定処理を行った際の保守管理データの一部の例を示す図である。
【図１４】本発明の第２の実施の形態に係る登下校検出用プログラムの処理手順を示すフローチャートである。
【符号の説明】
【０１１９】
１Ａ、１Ｂ、２Ａ、２Ｂ、３Ａ、３Ｂ、４Ａ、４Ｂ、５Ａ、６Ａ、６Ｂ  アンテナ
１０−１〜１０−６  レシーバ
１５  ハブ
２０  ルータ
３０  制御用ＰＣ
４０  大型モニター
５０、５１  管理サーバ
６０  小型モニター
７０  マウス
８０  キーボード
１００  低学年昇降口
２００  高学年昇降口
３００  正面職員入り口
４００  あすなろ学級
５００  職員室
６００  高学年の廊下
７００  低学年の廊下
８００、８０１  遠隔保守用サーバ
８１２  リモート接続サーバ
１０００、１００１  ＷＡＮ
１１００  遠隔監視部
Ｘ、Ｙ  入出管理システム
【図１】
2009032245.tif 000003
【図２】
2009032245.tif 000004
【図３】
2009032245.tif 000005
【図４】
2009032245.tif 000006
【図５】
2009032245.tif 000007
【図６】
2009032245.tif 000008
【図７】
2009032245.tif 000009
【図８】
2009032245.tif 000010
【図９】
2009032245.tif 000011
【図１０】
2009032245.tif 000012
【図１１】
2009032245.tif 000013
【図１２】
2009032245.tif 000014
【図１３】
2009032245.tif 000015
【図１４】
2009032245.tif 000016